(57)【要約】【課題】  スクリーン上の画像を分割して投影することができるプロジェクタを提供する。【解決手段】  プロジェクタは、投影レンズ１４、１６、ランプ４０、カラーホイール５０、ライトトンネル６０、コンデンサレンズ７０、折返しミラー８０、８２、８４，８６、ＤＭＤ９０、第１および第２のシャッター１００、１０２、シャッター切替え装置１１０を含む。ＤＭＤ９０のオン状態の光はＲ１方向に反射され、第１のシャッター１００を介して投影レンズ１４に入射され、オフ状態の光はＲ２方向に反射され、第２のシャッター１０２を介して投影レンズ１６に入射される。第１および第２のシャッター１００、１０２は、通常モードまたは拡大モードに応じて制御される。【選択図】    図２
2007072031.tif 000002
【特許請求の範囲】
【請求項１】
光源と、光源からの光を変調する変調手段と、変調手段からの光をそれぞれ入射し、投影光を出射する複数の投影レンズとを有するプロジェクタ。
【請求項２】
変調手段は、２次元アレイ状に配列された複数のミラーが毛制された反射型表示素子を含み、各ミラーは、第１の傾斜角と第２の傾斜角に選択的に駆動され、第１の投影レンズは、第１の傾斜角にあるミラーの反射光を入射し、第２の投影レンズは、第２の傾斜角にあるミラーの反射光を入射する、請求項１に記載のプロジェクタ。
【請求項３】
変調手段は、第１の期間のとき、第１の画像データに基づき各ミラーを駆動し、第１の傾斜角にあるミラーの反射光を第１の投影レンズに入射させ、変調手段は、第２の期間のとき、第２の画像データに基づき各ミラーを駆動し、第２の傾斜角にあるミラーの反射光を第２の投影レンズに入射させる、請求項１または２に記載のプロジェクタ。
【請求項４】
プロジェクタはさらに、変調手段と複数の投影レンズとの間に光を透過しまたは遮光するシャッターを含み、当該シャッターは、第１の期間のとき、第２の投影レンズへの入射光を遮光し、第２の期間のとき、第１の投影レンズへの入射光を遮光する、請求項１ないし３いずれか１つに記載のプロジェクタ。
【請求項５】
プロジェクタはさらに、動作モードを判定する動作モード判定手段と、動作モード判定手段の判定結果に応じてシャッターを制御するシャッター制御手段とを有する、請求項１ないし４いずれか１つに記載のプロジェクタ。
【請求項６】
動作モード判定手段により通常モードと判定されたとき、シャッター制御手段は、複数の投影レンズのうち選択された１つの投影レンズへの入射光を透過させ、他の投影レンズへの入射光を遮蔽させる、請求項１ないし５いずれか１つに記載のプロジェクタ。
【請求項７】
動作モード判定手段により通常モードでないと判定されたとき、シャッター制御手段は、第１の投影レンズへ入射光が透過されるとき第２の投影レンズへの入射光を遮蔽し、第１の投影レンズへ入射光が遮蔽されるとき第２の投影レンズの入射光を透過させる、請求項１ないし６いずれか１つに記載のプロジェクタ
【請求項８】
プロジェクタはさらに、動作モードの選択を入力する入力手段を含む、請求項１ないし７いずれか１つに記載のプロジェクタ
【請求項９】
複数の投影レンズの入射側に複数のシャッターがそれぞれ配置されている、請求項１ないし８いずれか１つに記載のプロジェクタ
【請求項１０】
プロジェクタはさらに、複数の投影レンズの少なくとも１つの投影レンズについて、その光軸と直交する２次元方向の位置を可変する位置可変手段を含む、請求項１ないし９いずれか１つに記載のプロジェクタ。
【請求項１１】
第１および第２の投影レンズは、反射型表示素子の中心軸に関し対称に配置されている、請求項１ないし１０いずれか１つに記載のプロジェクタ。
【請求項１２】
第１の投影レンズにより投影された投影光と第２の投影レンズにより投影された投影光を合成して投影画像を構成する、請求項１または１１に記載のプロジェクタ。
【請求項１３】
プロジェクタはさらに、光源と変調手段の間にカラーホイールを含み、当該カラーホイールは、光源の光から赤、緑、青の波長の光を選択し、選択された各波長の光を順次変調手段に出力する、請求項１ないし１２いずれか１つに記載のプロジェクタ。
【請求項１４】
第１、第２の投影レンズは、それぞれ光軸が平行になるように配置され、かつ第１、第２の投影レンズは、プロジェクタ本体の一面に取り付けられている、請求項１ないし１３いずれか１つに記載のプロジェクタ
【発明の詳細な説明】
【技術分野】
【０００１】
本発明は、プロジェクタに関し、特に、複数の投影レンズを用いたプロジェクタに関する。
【０００２】
テレビやＤＶＤなどの映像を投影する前面投射型または背面投射型のプロジェクタが実用化されている。プロジェクタにおいて、画像データを空間的に変調する変調素子として、液晶やＤＭＤ（Digital Micro-mirror Device）が利用されている。
【０００３】
ＤＭＤは、２次元的に配列した各ピクセルが微小なミラーから構成され、各ピクセルの直下に配置されたメモリ素子による静電界作用によってミラーの傾きを制御し、反射光の反射角度を変化させることで、オン／オフ状態を作る反射形表示素子である。
【０００４】
ピクセルがオフ状態では、ミラーによる反射光（以下、オフ光という）が投影レンズに入射せず、ピクセルがオン状態では、ミラーによる反射光（以下、オン光という）が投影レンズに入射し、スクリーンに画像を形成するように光学系部品が配置されている。各ミラーのオン光の傾き角は、ＤＭＤの光線の入射面に対して１０から１２度程度と決められている。
【０００５】
ＤＭＤを利用したプロジェクタは、例えば特許文献１に開示されるように、光源からの光を回転するカラーホイールに投射し、カラーホイールにより分離されたＲ（赤）、Ｇ（緑）、Ｂ（青）の３原色の光を順次ＤＭＤに照明し、ＤＭＤで反射された光を投影レンズを介してスクリーン上に映し出している。
【０００６】
プロジェクタには、大きな画面をより明るく鮮明に映し出すことが要求されている。これを満足させるため、プロジェクタの投影レンズを短焦点にする設計が行われている。特許文献２は、良好な収差特性、高コントラストで高解像力な結像性能を持ちながら、液晶表示素子側がテレセントリックで長いバックフォーカスを持ち、Ｆナンバーが明るく、短焦点側の１００インチ投射距離が２．５ｍ程度の３板式カラープロジェクター用広角ズームレンズを開示している。
【０００７】
特許文献３は、ズーミングに伴う諸収差を良好に補正し、画面全体にわたり良好なる光学性能を有した液晶プロジェクタ用に好適なズームレンズを開示している。
【０００８】
【特許文献１】特開２００４−２９４９８５号
【特許文献２】特開２００１−２４９２７５号
【発明の開示】
【発明が解決しようとする課題】
【０００９】
プロジェクタから投射される画像サイズを大きくするために、特許文献２や特許文献３に開示されるように収差を補正したプロジェクタ用のズームレンズが開示されているが、これらのズームレンズをもってしても、例えば、焦点距離が１メートルで６０インチの画像を投影させることは難しく、その場合、投影レンズの設計も非常に困難となる。
【００１０】
本発明は、投影レンズの短焦点の設計を容易にしつつ大画面を投射することができるプロジェクタを提供することを目的とする。
さらに本発明は、スクリーン上に画像を分割して投影することができるプロジェクタを提供することを目的とする。
【課題を解決するための手段】
【００１１】
本発明に係るプロジェクタは、光源と、光源からの光を変調する変調手段と、変調手段からの光をそれぞれ入射し、投影光を出射する複数の投影レンズとを有する。光源は、水銀ランプ、キセノンランプ等の放電ランプを用いることができ、また、半導体ダイオオードや半導体レーザダイオードを用いるものであってもよい。
【００１２】
変調手段は、２次元アレイ状に配列された複数のミラーが形成された反射型表示素子を含み、各ミラーは、第１の傾斜角と第２の傾斜角に選択的に駆動され、第１の投影レンズは、第１の傾斜角にあるミラーの反射光を入射し、第２の投影レンズは、第２の傾斜角にあるミラーの反射光を入射する。反射型表示素子は、好ましくはＤＭＤである。
【００１３】
変調手段は、第１の期間のとき、第１の画像データに基づき各ミラーを変調し、第１の傾斜角にあるミラーの反射光を第１の投影レンズに入射させ、第２の期間のとき、第２の画像データに基づき各ミラーを駆動し、第２の傾斜角にあるミラーの反射光を第２の投影レンズに入射させる。
【００１４】
好ましくはプロジェクタは、変調手段と複数の投影レンズとの間に光を透過しまたは遮光するシャッターを含み、当該シャッターは、第１の期間のとき、第２の投影レンズへの入射光を遮光し、第２の期間のとき、第１の投影レンズへの入射光を遮光する。シャッターは、投影レンズの入射側にそれぞれ配置することができ、各シャッターは、動作モード（通常モード、拡大モード）に応じて制御される。通常モードのときは、複数の投影レンズのうち選択された１つの投影レンズへの入射光が透過され、そこから画像が投影される。シャッターは、例えば光学式の液晶シャッターや機械式のシャッターを用いることができる。
【００１５】
好ましくはプロジェクタは、複数の投影レンズの少なくとも１つの投影レンズの光軸に直交する２次元方向の位置を可変する位置可変手段を含む。位置可変手段は、機械式、電動式のいずれであってもよい。
【００１６】
好ましくは第１および第２の投影レンズは、反射型表示素子の光軸に関し対称に配置されている。これにより、第１および第２の投影レンズの光学設計が容易になる。
【００１７】
さらに好ましくは、第１の投影レンズにより投影された第１の投影光と第２の投影レンズにより投影された第２の投影光を合成して投影画像を構成する。投影画像は、第１の投影光と第２の投影光を組み合わせることで１つの画像を認識させるものであってもよいし、それぞれが異なる意味をもつ画像を認識させるものであってもよい。
【発明の効果】
【００１８】
本発明によれば、複数の投影レンズを用いて投影を行うようにしたので、短焦点の投影レンズの設計が容易となり、かつ大画面の明るい画像を投影することができる。例えば、焦点距離が１メートルで６０インチの投影表示を考えた場合、投影レンズ１レンズユニット当り、３０インチの表示でよいため、極端に大きな曲率のレンズを用いる必要がなくなり、収差の補正も容易となる。さらに、複数の投影レンズによる投影光で画像を時分割で合成した場合、見かけ上の解像度を向上させることができる。
【発明を実施するための最良の形態】
【００１９】
以下、本発明に係るプロジェクタの好ましい構成を図面を参照して詳細に説明する。
【実施例】
【００２０】
図１は、本発明の実施例に係る前面投射型のプロジェクタの外観を示す斜視図である。プロジェクタ１０の前面１２には、ズーム機能により拡大された画像を投影するための２つの投影レンズ（または投影レンズユニット）１４、１６が取り付けられている。投影レンズ１４、１６の間には、内部の暖気を外部へ排気するための複数のスリットを含む排気口１８が形成されている。プロジェクタの上面２０には、電源スイッチ、表示モードなどを入力するための操作ボタン２２が取り付けられている。投影レンズ１４、１６は、動作モードに応じて、一方の投影レンズのみを使用したり、あるいは双方の投影レンズを使用することができる。後者の場合、投影レンズ１４、１６により投影された画像を合成して１つの画像をスクリーン上に表示することができる。
【００２１】
図２は、プロジェクタ内の光学系を説明する概略図である。プロジェクタ１０は、ハウジング３０内に、集光ミラー付きのランプ４０、カラーホイール５０、ライトトンネル６０、コンデンサレンズ７０、複数の折返しミラー８０、８２、８４、８６、ＤＭＤ９０、第１および第２のシャッター１００、１０２、２つの投影レンズ１４、１６を含んでいる。
【００２２】
ランプ４０は、集光ミラーとしての回転楕円鏡４２、その光軸方向に取り付けられた放電ランプ４４を有する。放電ランプは、例えば、キセノンランプ、水銀ランプ、メタルハライドランプ等を用いることができる。放電ランプ４４のアーク（発光点）は、集光ミラー４２によって集光され、集光された光が収束する位置にカラーホイール５０およびライトトンネル６０が配置されている。
【００２３】
カラーホイール５０は、公知のように、輪帯部分が光の三原色（赤（Ｒ）、緑（Ｇ）、青（Ｂ）、または赤、緑、青、白（Ｗ））に分割された回転可能なフィルタを含み、カラーホイールは、モータにより回転される。ランプ４０からの光は、カラーフィルタ５０に略垂直に入射され、カラーホイール５０からは順次、Ｒ、Ｇ、ＢまたはＷの光が出射される。
【００２４】
カラーホイール５０に近接して、ランプ４０の光軸に沿ってライトトンネル６０が配置されている。カラーホイール５０から出射されたＲ、Ｇ、Ｂ光は、ライトトンネル６０に入射され、強度が均一化された光線束が端部から出射される。
【００２５】
ライトトンネル６０からの光線束は、コンデンサレンズ７０、折返しミラー８０、８２を介してＤＭＤ９０のアレイ状のミラー領域を照明する。ＤＭＤ９０の各ミラーは、独立して傾斜角を可変制御される。ミラーが第１の傾斜角にあるとき、折返しミラー８２によって照明された入射光はＲ１方向に反射され、このＲ１方向は、投影レンズ１４の光軸Ｃ１と一致する。ミラーが第２の傾斜角にあるとき、折返しミラー８２によって照明された入射光は、Ｒ２方向に反射される。この反射光は、折返しミラー８４により反射され、さらに折返しミラー８６により投影レンズ１６に入射される。折返しミラー８０、８２、８４、８６は、平面ミラーであってもよいし、球面ミラーであっても良い。
【００２６】
ＤＭＤ９０と投影レンズ１４の間に、第１のシャッター１００が配置され、折返しミラー８６と投影レンズ１６の間に第２のシャッター１０２が配置されている。第１、第２のシャッター１００、１０２の動作は、シャッター切替え装置１１０からの駆動信号Ｓ１、Ｓ２により制御される。第１、第２のシャッター１００、１０２は、例えば光学式の液晶シャッターや機械式のシャッターを用いることができる。
【００２７】
図３は、プロジェクタの電気的構成を示すブロック図である。プロジェクタは、ＤＭＤ９０の画素数に対応するフォーマットプレーンを有するＲＧＢデジタル画像データを格納する画像メモリ２００、画像メモリ２００の画像データに基づきＤＭＤ９０やその他の回路を制御する制御部２１０、ランプ４０の駆動を制御するランプ駆動回路２２０、カラーホイール５０のモータの回転を制御するカラーホイール駆動部２３０を含んでいる。制御部２１０は、プロジェクタの動作に必要なプログラムやデータをメモリに格納し、それらに従い、各部の制御を実行する。
【００２８】
次に、プロジェクタの動作を図４のフローチャートを参照して説明する。本実施例のプロジェクタは、１つの投影レンズを投射に使用する通常モードと、２つの投影レンズを投射に使用する拡大モードを含んでいる。これらのモードの選択は、例えば、ユーザが操作パネル２２から入力することができる。
【００２９】
制御部２１０は、通常モードか拡大モードかの動作モードの確認を行う（ステップＳ１０１）。通常モードであるとき(ステップＳ１０２)、制御部２１０は、シャッター切替え装置１１０を制御し、第１のシャッター１００が常時光を透過するようにし、第２のシャッター１０２が常時光を遮光するようにする（ステップＳ１０３）。この制御は、駆動信号Ｓ１、Ｓ２によって行われる。
【００３０】
ランプ４０の点灯後、カラーホイール５０からＲ、Ｇ、Ｂ、またはＷの光が順次出射され、これらの光によってＤＭＤ９０が照明される。ＤＭＤ９０は、Ｒ、Ｇ、ＢまたはＷと同期して各ミラーを駆動する。第１の傾斜角に駆動されたミラー、すなわちオン状態のミラーにより入射光はＲ１方向に反射され、この反射光が投影レンズ１４に入射され、そこで拡大されてスクリーンに映し出される（ステップＳ１０４）。一方、第２の傾斜角に駆動されたミラー、すなわちオフ状態のミラーによりＲ２方向に反射された光は、折返しミラー８４、８６を介してシャッター１０２により遮光される。このため、投影レンズ１６から画像は投影されない。
【００３１】
一方、拡大モードであるとき（ステップＳ１０５）、制御部２１０は、シャッター切替え装置１１０を介して第１のシャッター１００と第２のシャッター１０２を相補的に駆動し、一方のシャッターが光を透過している期間、他方のシャッターが光を遮光するように制御する（ステップＳ１０６）。制御部２１０はさらに、第１、第２のシャッター１００、１０２と同期するタイミングで、投影レンズ１４により投影すべき画像データと投影レンズ１６により投影すべき画像データを画像メモリ２００から読み出し、ＤＭＤ９０を駆動する。これにより、投影レンズ１４により画像が投影されている期間、投影レンズ１６から画像は投影されず、投影レンズ１４から画像が投影されない期間、投影レンズ１６から画像が投影される（ステップＳ１０７）。
【００３２】
図５は、拡大モード時のタイミングチャートである。ＤＭＤによりスクリーンに投影される画像の１フレーム時間をＴｆとしたとき、１フレーム時間Ｔｆは、ｊ個の期間ｔ１、ｔ２、ｔ３、ｔ４、・・・ｔｊに分割される（ｔ１＝ｔ２＝ｔ３＝・・・＝ｔｊ）。期間ｔ１、ｔ２・・・ｔｊは、例えば内部クロック信号の所定数のクロックをカウントすることにより決定される。また、カラーホイール５０が１回転する毎にＲ、Ｇ、Ｂ、Ｗが出射されるが、各期間ｔ１、ｔ２・・・ｔｊはカラーホイール５０のＫ回転に相当するＫ組のＲ、Ｇ、Ｂ、Ｗを有している。
【００３３】
制御部２１０は、期間ｔ１において、画像メモリ２００から画像データＤ１を読み出し、画像データＤ１に基づきＤＭＤ９０を駆動する。また、シャッター切替え装置１１０は、第１、第２のシャッター１００、１０２に駆動信号Ｓ１、Ｓ２を出力し、期間ｔ１において、第１のシャッター１００を透過状態にし、第２のシャッター１０２を遮光状態にする。
【００３４】
ＤＭＤ９０の各ミラーのうち、第１の傾斜角にあるミラーの反射光は、第１のシャッター１００を介して投影レンズ１４に入射され、スクリーン上に画像データＤ１に対応する画像が投影される。一方、第２の傾斜角にあるミラーの反射光は、第２のシャッター１０２に遮光され、投影レンズ１６から画像は投影されない。
【００３５】
次に、期間ｔ２において、制御部２１０は、画像メモリ２００から画像データＤ２を読み出し、画像データＤ２に基づきＤＭＤ９０を駆動する。また、シャッター切替え装置１１０は、第１のシャッター１００を遮光状態に、第２のシャッター１０２が光透過状態になるように駆動信号Ｓ１、Ｓ２を出力する。これにより、ＤＭＤ９０の各ミラーのうち、第１の傾斜角にあるミラーの反射光は、第１のシャッター１００に遮光され、投影レンズ１４からは画像が投影されない。第２の傾斜角にあるミラーの反射光は、折返しミラー８４、８６、および第２のシャッター１０２を介して投影レンズ１６に入射され、画像データＤ２に対応する画像が投影される。次の期間ｔ３は、期間ｔ１のときと同様に、投影レンズ１４から画像が投影され、投影レンズ１６から画像が投影されずない。期間ｔ４は、期間２のときと同様に、投影レンズ１４から画像が投影されず、投影レンズ１６から画像が投影される。こうして、１フレーム期間において、投影レンズ１４、１６から交互に画像データＤ１、Ｄ２に対応する画像が投影される。
【００３６】
図６は、画像メモリのデータの読み出し例を説明する図である。画像メモリ２００は、例えばＦＩＦＯ等のフレームメモリや同期型のダイナミックメモリを用いて構成される。好ましくは、画像メモリは、複数のバンクを含み、各バンクは、ＤＭＤ９０の画素数に対応する画像データすなわちフレームデータを記憶する。ＤＭＤがＭ行×Ｎ列のミラー（画素）からなるとき、プロジェクタが通常モードであれば、制御部２１０は、図６に示すように、フレーム毎にＭ×Ｎに対応する画像データＰ１、Ｐ２を読み出す。拡大モードであれば、制御部２１０は、例えば、画像データＤ１を記憶した奇数フレームと画像データＤ２を記憶した偶数フレームを交互に読み出す。
【００３７】
図７は、拡大モードのときのスクリーンの表示例を示す図である。図７(ａ)は、スクリーン２４０に、投影レンズ１４の投影光による画像２４２と投影レンズ１６の投影光による画像２４４が合成された例である。図の例は、「Ａ」というアルファベットが合成して表示された例である。２つの投影レンズ１４、１６を用いて１つの画面サイズを構成することで、１つの投影レンズが受け持つ画像サイズを半分にすることができる。これにより、短焦点でありながら大画像を表示することができ、しかも、投影レンズの設計を容易にすることができる。
【００３８】
また、プロジェクタの表示画像の応用例として、図７(ｂ)に示すように、投影レンズ１４と１６が投影する画像２４６、２４８をそれぞれ異なる内容としてもよい。図の例では、投影レンズ１４が「Ｂ」を表示し、投影レンズ１６が「Ｃ」を表示している。例えば、プレゼンテーションにおいて複数のページを投影する場合には、画像２４６と画像２４８に２ページ分を同時に表示させるようにしてもよい。また、画像２４６に映像を表示し、画像２４８にテキストを表示させるようにしてもよい。この場合、２つの画像メモリを用意し、一方の画像メモリに画像２４６に対応する画像データを記憶させ、他方の画像メモリに画像２４８に対応する画像データを記憶させ、各画像メモリから画像データを交互に読み出すようにしてもよい。
【００３９】
図８は、シャッターの構成例を示す図である。シャッター１０４は、図８に示すように、透過領域２５０と遮光領域（非透過領域）２５２をそれぞれ均等にもつ円盤と、当該円盤を回転するモータとから構成される。シャッター切替え装置１１０は、通常モードのとき、透過領域２５０が投影レンズ１４の入射光軸Ｃ１上に位置し、遮光領域２５２が投影レンズ１６の入射光軸Ｃ２上に位置するようにシャッター１０４を固定する。また、拡大モードのとき、シャッター切替え装置１１０は、図５に示す期間ｔ１、ｔ２・・・ｔｊに同期するタイミングでモータを回転させ、透過領域２５０と遮光領域２５２を交互に投影レンズ１４と投影レンズ１６の入射光軸Ｃ１、Ｃ２上に位置させる。
【００４０】
図９は、本発明の第２の実施例に係るプロジェクタの光学系を示す図である。第２の実施例では、投影レンズ１４と投影レンズ１６とを近接している。これにより、折返しミラーの数を、第１の実施例のときよりも１つ少ない構成としている。
【００４１】
図１０は、本発明の第３の実施例に係るプロジェクタの光学系を示す図である。第３の実施例では、投影レンズ１６を、光軸Ｃ２と直交する２次元方向に移動するための移動機構３００を備えている。移動機構３００は、投影レンズ１６、第２のシャッター１０２および折返しミラー８４をユニット化し、これを水平方向および垂直方向に移動に可能にしている。移動機構３００は、公知の手段を用いて構成され、例えばネジ機構により水平および垂直方向への移動を行うもの、モータ駆動により移動を行うもの、スライド機構により移動を行うもの等を用いることができる。
【００４２】
投影レンズ１６の２次元方向の投影位置を調整可能とすることで、図７（ａ）、（ｂ）に示すように、投影レンズ１４と投影レンズ１６による画像がスクリーンに表示されるとき、画像２４２と２４４の境界、および画像２４６と画像１４８の境界を整合させることができる。投影レンズ１６とともに投影レンズ１４を２次元方向に移動可能にしてもよい。さらに、第３の実施例では、ランプ４０により収束された光は、ライトトンネル６０に入射され、次いで、カラーホイール５０に入射されている。
【００４３】
図１１は、本発明の第４の第３の実施例に係るプロジェクタの光学系を示す図である。第４の実施例は、投影レンズおよび光学系の設計を容易にするため、ＤＭＤ９０の中心軸Ｃ３に関して投影レンズ１４と投影レンズ１６を対称に配置している。カラーホイール５０からの光は、折返しミラー８０、８２によってＤＭＤ９０を照明し、ＤＭＤ９０の各ミラーにおいて、第１の傾斜角にあるミラーの反射光はＲ１方向に反射され、折返しミラー８４により光軸Ｃ１と平行な方向に反射され、投影レンズ１４に入射される。一方、第２の傾斜角にあるミラーの反射光はＲ２方向に反射され、折返しミラー８６により光軸Ｃ２と平行な方向に反射され、投影レンズ１６に入射される。通常モードおよび拡大モードのときの第１、第２のシャッター１００、１０２の動作は、上記実施例と同様である。
【００４４】
以上、本発明の好ましい実施の形態について詳述したが、本発明は係る特定の実施形態に限定されるものではなく、特許請求の範囲に記載された本発明の要旨の範囲内において、種々の変形、変更が可能である。
【００４５】
上記実施例では、ランプからの光の強度を均一化させるためにライトトンネルを用いたが、光インテグレーターを用いても良い。また、照明光学系および投射光学系に複数の折返しミラー８０〜８６を用いたが、これ以外にも、レンズやプリズムを用いて構成しても良い。さらに、ランプ４０は、放電ランプ以外の半導体レーザダイオード等の光源を用いるようにしてもよい。さらに、第１、第２のシャッターを投影レンズの入射側に配置させたが、これ以外の光路に配置するようにしてもよい。
【産業上の利用可能性】
【００４６】
本発明に係るプロジェクタは、テレビ、ＤＶＤ等の映像を投影するための画像表示装置として利用される。
【図面の簡単な説明】
【００４７】
【図１】本発明の実施例に係るプロジェクタの外観構成を示す斜視図である。
【図２】本実施例のプロジェクタの光学系を示す図である。
【図３】本実施例のプロジェクタの電気的な構成を示すブロック図である。
【図４】本実施例のプロジェクタの動作を説明するフローチャートである。
【図５】プロジェクタの各部の動作タイミングチャートである。
【図６】画像メモリの読み出し例を説明する図である。
【図７】プロジェクタによる表示例を説明する図である。
【図８】第１、第２のシャッターの構成例を示す図である。
【図９】本発明の第２の実施例に係るプロジェクタの光学系を示す図である。
【図１０】本発明の第３の実施例に係るプロジェクタの光学系を示す図である。
【図１１】本発明の第４の実施例に係るプロジェクタの光学系を示す図で
【符号の説明】
【００４８】
１０：プロジェクタ                  １２：前面
１４、１６：投影レンズ              ２０：上面
２２：操作ボタン                    ３０：ハウジング
４０：ランプ                        ５０：カラーホイール
６０：ライトトンネル                ７０：コンデンサレンズ
８０〜８６：折返しミラー            ９０：ＤＭＤ
１００：第１のシャッター          １０２：第２のシャッター
１１０：シャッター切替え装置      ３００：移動機構
【図１】
2007072031.tif 000003
【図２】
2007072031.tif 000004
【図３】
2007072031.tif 000005
【図４】
2007072031.tif 000006
【図５】
2007072031.tif 000007
【図６】
2007072031.tif 000008
【図７】
2007072031.tif 000009
【図８】
2007072031.tif 000010
【図９】
2007072031.tif 000011
【図１０】
2007072031.tif 000012
【図１１】
2007072031.tif 000013